(57)【要約】【課題】  電子機器と電線との接続位置の変更が容易に行える電子機器を提供しようとするものである。【解決手段】  分割可能なケースを有する電子機器において、分割可能なシールドケースの蓋部１２をケース部１１に複数の箇所でビス１３ａ，１３ｂ，１３ｃ，１３ｄにより固定するとともに、ファストン端子装着部１７とビスが挿入される穴１６が形成されたファストンタブ１４は蓋部１２をケース部１１に固定するためのビスによりケースに取り付けられている。【選択図】      図１
2007035598.tif 000002
【特許請求の範囲】
【請求項１】
分割可能なケースを有する電子機器において、
分割可能なケースの一方のケース部を他方のケース部に複数の箇所で固定するためのビスと、
ファストン端子装着部を有し上記ビスが挿入される穴が形成されたファストンタブとを有し、
上記ファストンタブが分割可能なケースの一方のケース部を他方のケース部に固定するためのビスによりケースに取り付けられていることを特徴とする電子機器。
【請求項２】
請求項１に記載の電子機器において、上記ファストンタブにはファストン端子が接続されることを特徴とする電子機器。
【請求項３】
請求項２に記載の電子機器において、上記ファストン端子はアース用ラインが接続されていることを特徴とする電子機器。
【請求項４】
分割可能なケースを有する電子機器において、
分割可能なケースの一方のケース部を他方のケース部に複数の箇所で固定するためのビスと、
端子装着部を有し上記ビスが挿入される穴が形成されたコネクタとを有し、
上記コネクタが分割可能なケースの一方のケース部を他方のケース部に固定するためのビスによりケースに取り付けられていることを特徴とする電子機器。
【発明の詳細な説明】
【技術分野】
【０００１】
本発明は外部の電線と接続されるように構成された電子機器に関するものである。
【背景技術】
【０００２】
電子機器を電線と接続する際に、コネクタを介して接続することが通常行われている。
例えば、特開平７−２２０７８１号公報（特許文献１）に示されるものは、基板に雌端子を配置するとともに、この雌端子に対して着脱可能な雄端子を電線の末端に接続し、雄端子を雌端子に嵌合わせることにより、基板と電線を接続するものである。
【０００３】
このような着脱可能なコネクタを用いることで基板と電線との接続は容易に行うことが可能であり、電子機器の製造や検査を行う工程では、コネクタにより基板と電線とを接続して製造や検査の作業が可能であり、必要な作業が完了するとコネクタを外して次の工程へと電子機器を移動させることとなる。
【０００４】
このような、特許文献１に示されるような装置においては、電子機器にコネクタの端子を予め形成もしくは配置しておく必要があるため、電子機器の製造や検査を行う工程の変更等の理由により電子機器と電線との接続位置を変更する必要が生じた場合には、電子機器自体の形状を変更したり、コネクタの形状を変更する必要があり、直ちにコネクタの端子を変更することができないという問題がある。
【０００５】
すなわち、電子機器自体の形状を変更したり、コネクタの形状を変更するためには、これらの金型を新たに製作することとなるため、金型変更が間に合わない場合も出てくる。
【特許文献１】特開平７−２２０７８１号公報（段落番号００２１−００２２、図１）
【発明の開示】
【発明が解決しようとする課題】
【０００６】
本発明は上記事情に基づき成されたものであり、電子機器と電線との接続位置の変更が容易に行える電子機器を提供しようとするものである。
【課題を解決するための手段】
【０００７】
本発明は上記課題を解決するために、分割可能なケースを有する電子機器において、分割可能なケースの一方のケース部を他方のケース部に複数の箇所で固定するためのビスと、ファストン端子装着部を有し上記ビスが挿入される穴が形成されたファストンタブとを有し、上記ファストンタブが分割可能なケースの一方のケース部を他方のケース部に固定するためのビスによりケースに取り付けられていることを特徴とする。
【発明の効果】
【０００８】
本発明では、ケースを固定する複数の箇所のいずれかのビスによりファストンタブをケースに取り付けられるため、電子機器と電線との接続位置の変更する際には、ファストンタブの取り付け位置を他の位置に変更することで容易に対応できる。
【発明を実施するための最良の形態】
【０００９】
以下、本発明の実施形態について図面を参照して説明する。
図１は  電子機器１０の外観を示す斜視図である。
電子機器はシールドケース１０内に各種電子部品を内蔵したものであり、シールドケース１０はシールドケース部１１とシールドケース蓋部１２とにより構成され、シールドケース蓋部１２はその四隅がビス１３ａ，１３ｂ，１３ｃ，１３ｄによりシールドケース部１１に取り付けられている。
【００１０】
ビス１３ａはシールドケース蓋部１２を固定するのみならず、ファストンタブ１４を固定するためにも用いられている。
図２はファストンタブの配置を説明するための平面図であり、シールドケースの右上隅において、ファストンタブ１４がビス１３ａにより固定されている状態を示している。
【００１１】
図３はファストンタブ１４ならびにファストン端子１５の形状を示す図であり、図示したようにファストンタブ１４はビス止め穴１６、ファストン端子装着部１７とワイヤカシメ部１８とを具備している。ビス止め穴１６にはビス１３ａが挿入されたうえでシールドケース蓋部１２とともにビス止めされる。
【００１２】
ファストンタブ１４のビス止めの際には、ファストン端子装着部１７がシールドケース部１１とシールドケース蓋部１２の隅から突出するように取り付けられる。
ファストン端子１５はアース用のワイヤの末端が接続されており、このファストン端子１５がファストン端子装着部１７に装着されることにより電子機器１０のシールドケースがアース用のワイヤと接続されて、アース接続が可能となる。又、ワイヤの途中等においてタブが必要な場合にはワイヤカシメ部１８によりワイヤにカシメることが出来る。
【００１３】
上記の構成によるとビス止め穴１５を有するファストンタブ１４を、ビス１３ａによりシールドケース蓋部１２と共締め出来るので、ファストンタブ１４を固定する位置を変更する必要が生じた場合には、ビス１３ｂ，１３ｃ，１３ｄの何れかの位置でファストンタブ１４をビス止めすれば位置の変更が可能である。
【００１４】
ファストンタブ１４の取り付け位置の変更に際してはシールドケースに特別な加工を加える必要が無いため、ファストンタブ１４の取り付け位置の変更は容易に行うことができる。
【００１５】
上記実施の形態では、ファストンタブ１４を用いてアース接続する場合について説明したが、本発明はこれに限定されるものではなく、電源線、信号線などの電線接続の場合にも適用可能である。
【００１６】
以上説明したように、電子機器の製造や検査を行う工程の変更等の理由により電子機器と電線との接続位置を変更する必要が生じた場合には、電子機器自体の形状を変更したり、コネクタの形状を変更することなく、直ちにコネクタの位置を変更することがでる。
【図面の簡単な説明】
【００１７】
【図１】電子機器の外観を示す斜視図。
【図２】ファストンタブの配置を説明するための平面図。
【図３】ファストンタブならびにファストン端子の形状を示す図。
【符号の説明】
【００１８】
１０・・・シールドケース
１１・・・シールドケース部
１２・・・シールドケース蓋部
１３ａ，１３ｂ，１３ｃ，１３ｄ・・・ビス
１４・・・ファストンタブ
１５・・・ファストン端子
１６・・・ビス止め穴
１７・・・ファストン端子装着部
【図１】
2007035598.tif 000003
【図２】
2007035598.tif 000004
【図３】
2007035598.tif 000005